(57)【要約】【課題】  つまみとパネルの隙間から取付部材の金属表面が見えたり光漏れするを防止して、高品位を維持することができる回転型電気部品を提供する。【解決手段】  上面が開口された収納部１ｅを有するハウジング１と、ハウジング１に回転可能に保持されると共に、その一部が収納部１ｅより突出して操作用つまみ１０を取り付け可能とした回転体５と、収納部１ｅに設けられ回転体５の回転を検出する回転検出手段３、７と、収納部１ｅの上面開口を蓋閉すると共に、回転体５をハウジング１に保持する金属製の取付部材８とを備え、回転体５に取り付けられる操作用つまみ１０が位置する取付部材８の上面側には、取付部材８の金属表面８ａを遮蔽する遮蔽手段９を設けた。【選択図】        図１
2006216330.tif 000002
【特許請求の範囲】
【請求項１】
上面が開口された収納部を有するハウジングと、このハウジングに回転可能に保持されると共に、その一部が前記収納部より突出して操作用つまみを取り付け可能とした回転体と、前記収納部に設けられ前記回転体の回転を検出する回転検出手段と、前記収納部の上面開口を蓋閉すると共に、前記回転体を前記ハウジングに保持する金属製の取付部材とを備え、前記回転体に取り付けられる前記操作用つまみが位置する前記取付部材の上面側には、前記取付部材の金属表面を遮蔽する遮蔽手段を設けたことを特徴とする回転型電気部品。
【請求項２】
前記遮蔽手段は、前記操作用つまみが位置する前記取付部材の上面側に、該取付部材とは異なる別部材からなる遮蔽部材で形成したことを特徴とする請求項１記載の回転型電気部品。
【請求項３】
前記回転体は、前記操作用つまみが取り付けられる筒状部を有し、この筒状部の外周側に前記遮蔽部材を設けて、前記遮蔽部材が前記回転体と共に回転可能としたことを特徴とする請求項２記載の回転型電気部品。
【請求項４】
前記回転体の前記筒状部の外周面に、前記遮蔽部材を位置決めする凸部を設け、この凸部により前記遮蔽部材と前記取付部材の上面側との間を離間させたことを特徴とする請求項３記載の回転型電気部品。
【請求項５】
前記遮蔽部材を平板状に形成し、前記筒状部の前記凸部と前記操作用つまみとで前記遮蔽部材を挟持するようにしたことを特徴とする請求項４記載の回転型電気部品。
【請求項６】
前記回転検出手段は、前記回転体側に設けられ、前記回転体と共に回転する摺動子あるいは導電パターンのどちらか一方と、前記ハウジング側に設けられ、前記摺動子あるいは導電パターンのどちらか一方と摺接する、前記摺動子と導電パターンのどちらか他方とからなることを特徴とする請求項１乃至５の何れかに記載の回転型電気部品。
【発明の詳細な説明】
【技術分野】
【０００１】
本発明は、回転型電気部品に係り、特にハウジングから突出した回転体の先端に操作用つまみを装着して使用される各種電子機器用として好適な回転型電気部品に関する。
【背景技術】
【０００２】
従来の回転型電気部品の構造としては、樹脂成形品からなり、金属の板バネからなる接片を有する筺体と、同じく樹脂成形品からなり、筺体に回転可能に保持され、接片と摺接する導電パターンが設けられた回転体と、クリック用板ばねを保持し、筺体の上面側に取り付けられた金属板からなる取付部材とから構成されたものが知られている（例えば、特許文献１参照）。
【０００３】
この従来の回転型電気部品の構造を図８及び図９に示す。図８は従来の回転型電気部品の分解斜視図、図９は従来の回転型電気部品の要部の断面図である。
【０００４】
図において、合成樹脂の絶縁材からなる筺体３１は、中空部３１ａを有する円筒状の筒部３１ｂと、この筒部３１ｂの後端部に形成された底壁３１ｃと、この底壁３１ｃの外周部から前方に延びて形成された四角状の側壁３１ｄと、この側壁３１ｄと筒部３１ｂとの間に形成されたリング状の収納部３１ｅとを有する。
【０００５】
弾性を有する金属板からなる接片３２は、筺体３１に埋設されて取り付けられ、端子部３２ａが側壁３１ｄから外方に突出すると共に、接触部３２ｂが収納部３１ｅ内に露出した状態となっている。合成樹脂の絶縁材からなる回転体３３は、中央部に設けられた円筒状の軸部３３ａと、この軸部３３ａの後端部に形成された鍔部３３ｂと、この鍔部３３ｂの前面側に設けられた凹凸部３３ｃとを有する。
【０００６】
金属板からなる導電パターン３４は、回転体３３に埋設されて設けられ、この導電パターン３４は、鍔部３３ｂの後面に露出して形成されている。そして、導電パターン３４を設けた回転体３３は、軸部３３ａ内に筒部３１ｂを挿通し、鍔部３３ｂが収納部３１ｅ内に収納されて、筺体３１に回転可能に取り付けられている。金属板からなる板バネ３５は、円形の腕部３５ａと、腕部３５ａに設けられた凸部３５ｂと一対の孔３５ｃとを有する。
【０００７】
金属板からなる取付部材３６は、四角状の上面板３６ａと、この上面板３６ａに設けられた円形の孔３６ｂと、一対のハトメ状の固定部３６ｃと、上面板３６ａから折り曲げられて後方に延びる一対の取付片３６ｄと、この取付片３６ｄの後方部に設けられた孔３６ｅと、取付片３６ｄと並設された複数の取付脚３６ｆとを有する。
【０００８】
そして、この取付部材３６には、板バネ３５の孔３５ｃに固定部３６ｃを挿通して、板バネ３５が取り付けられている。このように、板バネ３５を取り付けた取付部材３６は、孔３６ｂに筒部３１ｂと軸部３３ａを挿通して、上面板３６ａで収納部３１ｅの前方を覆った状態で、上面板３６ａを側壁３１ｄの上端面３１ｆに載置する。そして、取付片３６ｄの一端を筺体３１側に折り曲げして、取付部材３６を筺体３１に取り付ける。
【０００９】
そして、取付部材３６が筺体３１に取り付けられた際、板バネ３５は収納部３１ｅ内に位置し、凸部３５ｂが凹凸部３３ｃに係合してクリックを構成すると共に、回転体３３が後方に押されて、接片３２と導電パターン３４とが接触した状態となる。
【００１０】
このような構成を有する回転型電気部品の動作を説明すると、先ず、回転体３３の軸部３３ａを回転すると、鍔部３３ｂの後面に設けられた導電パターン３４も回転して、接片３２が導電パターン３４上を摺動してパルス信号を発生する。この時、回転体３３の凹凸部３３ｃは、板バネ３５の凸部３５ｂと係脱を行って、回転動作にクリック感が得られるようになっている。尚、３８は中空部３１ａ内に位置した状態でプリント基板３７に取り付けられたプッシュ型のスイッチ部である。
【００１１】
【特許文献１】特開２００２−１１０００１号公報
【発明の開示】
【発明が解決しようとする課題】
【００１２】
しかしながら、従来の回転型電気部品においては、回転型電気部品が電子機器のパネル面にセットされ、回転体３３の軸部３３ａに操作用のつまみが取り付けられて使用される場合に、つまみとパネルの隙間から金属板からなる取付部材３６が見えることがあり、セットの品位を損なう虞があった。特に、パネルやつまみを照光させる場合には、金属板により照光用の光が反射して、不所望な反射による光漏れを起こす虞があり、セットの品位を損なうという問題があった。
【００１３】
従って、本発明は上記した問題点を解決し、つまみとパネルの隙間から取付部材の金属表面が見えたり光漏れするを防止して、高品位を維持することができる回転型電気部品を提供することを目的とする。
【課題を解決するための手段】
【００１４】
上記課題を解決するために本発明では第１の解決手段として、上面が開口された収納部を有するハウジングと、このハウジングに回転可能に保持されると共に、その一部が前記収納部より突出して操作用つまみを取り付け可能とした回転体と、前記収納部に設けられ前記回転体の回転を検出する回転検出手段と、前記収納部の上面開口を蓋閉すると共に、前記回転体を前記ハウジングに保持する金属製の取付部材とを備え、前記回転体に取り付けられる前記操作用つまみが位置する前記取付部材の上面側には、前記取付部材の金属表面を遮蔽する遮蔽手段を設けた構成とした。
また、第２の解決手段として、前記遮蔽手段は、前記操作用つまみが位置する前記取付部材の上面側に、該取付部材とは異なる別部材からなる遮蔽部材で形成した構成とした。
また、第３の解決手段として、前記回転体は、前記操作用つまみが取り付けられる筒状部を有し、この筒状部の外周側に前記遮蔽部材を設けて、前記遮蔽部材が前記回転体と共に回転可能とした構成とした。
【００１５】
また、第４の解決手段として、前記回転体の前記筒状部の外周面に、前記遮蔽部材を位置決めする凸部を設け、この凸部により前記遮蔽部材と前記取付部材の上面側との間を離間させた構成とした。
また、第５の解決手段として、前記遮蔽部材を平板状に形成し、前記筒状部の前記凸部と前記操作用つまみとで前記遮蔽部材を挟持するようにした構成とした。
また、第６の解決手段として、前記回転検出手段は、前記回転体側に設けられ、前記回転体と共に回転する摺動子あるいは導電パターンのどちらか一方と、前記ハウジング側に設けられ、前記摺動子あるいは導電パターンのどちらか一方と摺接する、前記摺動子と導電パターンのどちらか他方とからなる構成とした。
【発明の効果】
【００１６】
上述したように、本発明の回転型電気部品は、上面が開口された収納部を有するハウジングと、ハウジングに回転可能に保持されると共に、その一部が収納部より突出して操作用つまみを取り付け可能とした回転体と、収納部に設けられ回転体の回転を検出する回転検出手段と、収納部の上面開口を蓋閉すると共に、回転体をハウジングに保持する金属製の取付部材とを備え、回転体に取り付けられる操作用つまみが位置する取付部材の上面側には、取付部材の金属表面を遮蔽する遮蔽手段を設けたことから、遮蔽手段により取付部材の金属表面を隠すことができるので、操作用つまみと該操作用つまみが配置されるパネルとの隙間から、取付部材の金属表面が直接見えることがなく、セットの品位が損なわれるのを防止することができる。また、金属表面による光の不所望な反射を防止することが可能となるので、高品位を維持することができる。
また、遮蔽手段は、操作用つまみが位置する取付部材の上面側に、取付部材とは異なる別部材からなる遮蔽部材で形成したことから、遮蔽手段を取付部材とは異なる別部材で形成したので、金属表面を塗装して遮蔽部材を形成する方法に比べて塗装の傷等にともなう剥がれの問題がなく、回転型電気部品の取り扱いが容易となり、長期間に渡って高品位を維持することができる。
また、回転体は、操作用つまみが取り付けられる筒状部を有し、筒状部の外周側に遮蔽部材を設けて、遮蔽部材が回転体と共に回転可能としたことから、回転体と遮蔽部材との摺接がなく、不所望な音の発生を防止でき、品位が低下するのを防止することができる。
【００１７】
また、回転体の筒状部の外周面に、遮蔽部材を位置決めする凸部を設け、凸部により遮蔽部材と取付部材の上面側との間を離間させたことから、固定側である取付部材と回転側である遮蔽部材とが離間しているので、両者が摺接することはなく、不所望な音の発生を防止して品位を損なうことをより防止できると共に、摩耗を防止でき、摩耗粉がハウジングの収納部に入り込んで、回転検出に不具合を生じるのを抑制できる。したがって、長期に渡って高品位と性能を維持することができる。
また、遮蔽部材を平板状に形成し、筒状部の凸部と操作用つまみとで遮蔽部材を挟持するようにしたことから、遮蔽部材を回転可能に保持するための部材を別途必要としないので、構造が簡易となり、組立ての作業性が向上する。
また、回転検出手段は、回転体側に設けられ、回転体と共に回転する摺動子あるいは導電パターンのどちらか一方と、ハウジング側に設けられ、摺動子あるいは導電パターンのどちらか一方と摺接する、摺動子と導電パターンのどちらか他方とからなることから、簡単な構造で、安価に、回転検出手段を構成できる。
【発明を実施するための最良の形態】
【００１８】
以下、本発明の実施の形態を図１乃至図７に示す。図１は本発明の実施例に係る回転型電気部品を示す断面図、図２は本発明の回転型電気部品を示す分解斜視図、図３は回転型電気部品のハウジングを示す斜視図、図４は回転型電気部品の摺動子受けを示す斜視図、図５は回転型電気部品の回転体を示す斜視図、図６は回転型電気部品の絶縁基板を示す平面図、図７は回転型電気部品の取付部材を示す斜視図である。
【００１９】
図において、本発明の回転型電気部品は、上面（操作つまみ１０が取り付けられる側）が開口された収納部１ｅを有する合成樹脂製のハウジング１と、この収納部１ｅ内に配設され、導電性の金属板からなる摺動子３と端子４を有する合成樹脂製の摺動子受け２と、ハウジング１に回転可能に保持されると共に、その一部が前記収納部１ｅより突出して、パネル１１面に装着される操作用つまみ１０を取り付け可能とした回転体５と、この回転体５に設けられ、前記摺動子３と摺接する導電パターン７を有する絶縁基板６と、収納部１ｅの上面開口を蓋閉すると共に、回転体５をハウジング１に保持する金属製の取付部材８と、回転体５に取り付けられる操作用つまみ１０が位置する取付部材８の上面側に設けられた遮蔽部材９とから主に構成されている。
【００２０】
図３に示すように、ハウジング１は、合成樹脂等の絶縁材から形成されており、中心部に上下に貫通する中空部１ａを有する円筒状の軸部１ｂと、この軸部１ｂの後端側に形成された底壁１ｃと、この底壁１ｃの外周部に環状に設けられた側壁１ｄと、この側壁１ｄと軸部１ｂとの間に設けられた凹部からなる環状の収納部１ｅとを有している。
【００２１】
また、前記側壁１ｄの一部には、開口された切り欠き部１ｆが設けられており、この切り欠き部１ｆに臨む底壁１ｃには一対の突起１ｇが設けられている。また、前記側壁１ｄの外周面には、複数の（本実施例では６個）の縦溝１ｈが設けられており、この縦溝１ｈに後述する取付部材８の取付片８ｃが挿入され係止されるものとなっている。
【００２２】
図４に示すように、摺動子受け２は、同じく合成樹脂等の絶縁材から略平板状に形成されており、導電性の金属板で一体に形成された摺動子３及び端子４が内部に埋設されて、その一端側がそれぞれ側面部から導出されて形成されている。また、摺動子受け２の中央には、一対の丸孔２ａが設けられており、この丸孔２ａが前記ハウジング１の底壁１ｃに設けられた一対の突起１ｇに挿入されて圧入または熱かしめ等の方法により取付けられている。これにより、摺動子３はハウジング１の収納部１ｅ内に配設されると共に、端子４はハウジング１の切り欠き部１ｆから突出して下方へ垂直に折り曲げられた状態で配設されている。
【００２３】
図５に示すように、回転体５は、同じく合成樹脂等の絶縁材から形成されており、中央部に上下に貫通する中空部５ａを有する円筒状の筒状部５ｂと、この筒状部５ｂの後端部から径方向の外方に延設された円形で環状の鍔部５ｃとを有している。また、筒状部５ｂの外周面の略中央には、略環状で段状の面からなる第１の凸部５ｄが設けられており、また、この第１の凸部５ｄの下方には、第１の凸部５ｄよりさらに径方向の外方に突出された環状で段状の面からなる第２の凸部５ｅが設けられている。
【００２４】
また、前記第１の凸部５ｄの上方で前記筒状部５ｂの外周面には、複数のガイドリブ５ｆが設けられており、このガイドリブ５ｆに後述する遮蔽部材９のガイド溝９ｂが案内されて、遮蔽部材９が第１の凸部５ｄに当接した状態で装着されるものとなっている。また、複数のガイドリブ５ｆのうち近接したガイドリブ５ｆ間には、複数の係止突起５ｇが設けられており、この係止突起５ｇに後述する操作用つまみ１０の係止孔１０ｃが嵌合されて、操作用つまみ１０が回転体５の筒状部５ｂに取り付けられるものとなっている。
【００２５】
また、前記回転体５の鍔部５ｃの裏面側には、絶縁基板６が設けられている。この絶縁基板６は、図６に示すように、例えば、フェノール樹脂等の積層板から略円形で環状に形成されており、その一面には銀やカーボン等の導電性のインクで印刷された導電パターン７が形成されている、そして、前記絶縁基板６は、導電パターン７を下面側に表出した状態で、前記回転体５の鍔部５ｃの裏面側に熱かしめ等の方法で取り付けられている。
【００２６】
そして、絶縁基板６が固着された前記回転体５は、前記ハウジング１の円筒状の軸部１ｂの外周部に、同じく筒状部５ｂの中空部５ａが軸支されると共に、収納部１ｅ内に鍔部５ｃが収納されて回転可能に保持されるものとなる。この時、鍔部５ｃの裏面側に固着された絶縁基板６の導電パターン７と、収納部１ｅの底壁１ｃに取付られた摺動子受け２に配設された摺動子３とが当接され、回転体５の回転により摺動子３が導電パターン７上を摺接して所望の信号を出力するものとなっている。すなわち、この摺動子３と導電パターン７とで回転検出手段が構成されている。
【００２７】
尚、この場合に、前記絶縁基板６に形成する導電パターン７は、カーボン等からなる抵抗体層を印刷して形成した抵抗体パターン等で形成しても良い。また、導電パターン７を印刷等で形成する代わりに、金属板等をプレス加工して形成した接点パターンを合成樹脂等の絶縁基板にインサート成形等の方法で一体に埋設するか、または回転体に直接一体に埋設して形成するようにしても良い。
また、上記構成に代えて、回転体５側に摺動子３を形成し、ハウジング１側に導電パターン７を形成するようにしても良い。
【００２８】
取付部材８は、図７に示すように、円形の環状をした上面板８ａと、この上面板８ａの中央に設けられた円形の挿通孔８ｂと、上面板８ａの外周辺から折り曲げられて垂直に下方に延びる複数（本実施例では６個）の取付片８ｃと、同じく垂直に下方に延びる取付脚８ｄと、矩形状のカバー片８ｅとを有している。そして、この取付部材８は、挿通孔８ｂに前記ハウジング１の軸部１ｂと前記回転体５の筒状部５ｂが挿通されて、上面板８ａでハウジング１の収納部１ｅの開口部を覆った状態で、複数の取付片８ｃがハウジング１の側壁１ｄ外周面に形成された複数の縦溝１ｈに挿入されて、その先端部がかしめられることによりハウジング１に一体的に係止されている。
【００２９】
また、この時、ハウジング１の軸部１ｂ及び収納部１ｅに回転可能に保持された前記回転体５は、筒状部５ｂの外周面に設けられた環状で段状の面からなる第２の凸部５ｅが、取付部材８の上面板８ａの挿通孔８ｂの下面周縁部に当接することで保持され、ハウジング１からの飛び出しが防止されている。また、ハウジング１の切り欠き部１ｆの下端側から複数の端子４が延出した状態で、取付部材８のカバー片８ｅによって切り欠き部１ｆが蓋閉されている。この複数の端子４と前記取付部材８の取付脚８ｄとが図示しない電子機器の回路基板の挿入孔に挿入され半田付けされるものとなっている。
【００３０】
遮蔽部材９は、例えば、ＰＥＴ（ポリエチレンテレフタレート）フィルム等の不透明な黒色系で表面が粗い合成樹脂製の平板状の板材から形成されている。尚、色は、黒、茶、紺色等の光を反射し難い黒色系で不透明なものが良く、また、表面は、光を反射し難いように梨地処理を施して、粗くしたつや消しのものが良い。尚、材料はＰＥＴフィルムに限らず、不透明な黒色系で表面が粗いものであれば紙などのシート部材でも良い。
【００３１】
前記遮蔽部材９は、円形の環状に形成され、中央には貫通孔９ａが設けられており、この貫通孔９ａの内周縁には複数（本実施例では３個）のガイド溝９ｂが設けられている。そして、この遮蔽部材９は、前記回転体５の筒状部５ｂに取付けられている。この時、ガイド溝９ｂは、回転体５の筒状部５ｂの外周面に設けられた複数のガイドリブ５ｆに案内されて筒状部５ｂの中央部に挿入されるものとなっており、遮蔽部材９は、筒状部５ｂの外周面の高さ方向（回転体５の回転軸線方向）略中央に形成された略環状で段状の面からなる第１の凸部５ｄに当接した状態で回転体５に係合され、回転体５と共に回転可能に装着されている。
【００３２】
この時、前記遮蔽部材９は、前記第１の凸部５ｄにより遮蔽部材９と前記取付部材８の上面板８ａとの間が一定の間隔を有して離間した状態で取り付けられている。すなわち、本実施例においては、前記遮蔽部材９は、前記取付部材８の上面板８ａの上面側に位置して配置された取付部材８とは異なる平板状のシート部材からなる別部材により形成されている。
【００３３】
このように、前記遮蔽部材９は、前記取付部材８の上面側に、この取付部材８とは異なる別部材により形成したことから、上面板８ａ（金属表面）を塗装して遮蔽部材９を形成する方法に比べて塗装の傷等にともなう剥がれの問題がなく、部品の取り扱いが容易となり、長期間に渡って高品位を維持することができる。
また、前記回転体５は、前記筒状部５ｂを有し、この筒状部５ｂに前記遮蔽部材９を係合し、この遮蔽部材９が前記回転体５と共に回転可能としたことから、回転体５と遮蔽部材９との摺接がなく、不所望な音の発生を防止でき、品位が低下するのを防止することができるものとなる。
【００３４】
また、前記回転体５の筒状部５ｂの外周面に、前記遮蔽部材９を位置決めする前記第１の凸部５ｄを設け、この第１の凸部５ｄにより前記遮蔽部材９と前記取付部材８の上面側との間を離間させたことから、固定側である前記取付部材８と回転側である前記遮蔽部材９とが一定の隙間を有して離間しているので、両者が摺接することはなく、不所望な音の発生を防止して品位を損なうことをより防止できると共に、摩耗を防止でき、摩耗粉がハウジング１の収納部１ｅに入り込んで、回転検出に不具合を生じるのを抑制できるものとなる。
【００３５】
尚、上記実施例では、遮蔽部材９を取付部材８とは異なる別部材で形成して上面側に配置するようにしたが、例えば、この遮蔽部材９に代えて、取付部材８の上面板８ａである金属表面に直接遮蔽部材を貼り付けて一体的に形成しても良く、あるいは取付部材８の金属表面を塗装したカラー鋼板の塗装塗膜により遮蔽部材を形成するようにしても良い。この場合には、遮蔽部材を別部材で離間して形成するのに比べて取付部材と一体的に形成できるので、部品点数が削減され、組立て作業性が容易となる。
【００３６】
操作用つまみ１０は、図１及び図２に示すように、前記回転体５の筒状部５ｂに装着されて電子機器等のパネル１１の窓孔１１ａに配置されるもので、合成樹脂等の絶縁材で形成されており、パネル１１面から表出する円環状の操作部１０ａと、この操作部１０ａ下方に延設された取付部１０ｂとを有している。また、取付部１０ｂには、前記回転体５の筒状部５ｂに設けられた係止突起５ｇと嵌合する係止孔１０ｃが形成されている。
【００３７】
そして、前記回転体５の筒状部５ｂに操作用つまみ１０が装着される際には、取付部１０ｂに設けられた係止孔１０ｃと筒状部５ｂの係止突起５ｇとが嵌合すると共に、取付部１０ｂの周縁下面と回転体５の筒状部５ｂに設けられた第１の凸部５ｄとの間に前記遮蔽部材９が挟持されて取り付けられるものとなる。
このように、回転体５の筒状部５ｂに設けられた第１の凸部５ｄと操作用つまみ１０の下面とで遮蔽部材９を挟持するようにしたことから、遮蔽部材９を回転可能に保持するための部材を別途必要としないので、構造が簡易となり、組立ての作業性が向上するものとなる。
【００３８】
上述したように、本発明の回転型電気部品は電子機器等のパネル１１面に装着されて使用されるが、この時、図１に示すように、パネル１１の窓孔１１ａと操作用つまみ１０の操作部１０ａとの間には、操作用つまみ１０の回転を阻害しないように隙間Ｓが設けられており、この隙間Ｓからパネル１１の下方に配置された回転型電気部品の取付部材８の上面板８ａ（金属表面）が直接見えてしまうことがある。このような場合、セットの品位が損なわれる虞があり、また、パネル１１や操作用つまみ１０を照光させる場合には、上面板８ａによって照光用の光が反射して、不所望な反射による光漏れを起こす虞があった。
【００３９】
上記した本発明の上記実施例によれば、回転体５に取り付けられる操作用つまみ１０が位置する取付部材８の上面側には、取付部材８の上面板８ａ（金属表面）を遮蔽する遮蔽部材９を設けたことから、遮蔽部材９により取付部材８の上面板８ａ（金属表面）を隠すことができるので、操作用つまみ１０と該操作用つまみ１０が配置されるパネル１１の窓孔１１ａとの隙間Ｓから、取付部材８の上面板８ａ（金属表面）が直接見えることがなく、セットの品位が損なわれるのを防止することができるものとなる。また、上面板８ａ（金属表面）による光の不所望な反射を防止することが可能となるので、高品位を維持することができるものとなっている。
【図面の簡単な説明】
【００４０】
【図１】本発明の実施例に係る回転型電気部品を示す断面図である。
【図２】本発明の回転型電気部品を示す分解斜視図である。
【図３】本発明の回転型電気部品のハウジングを示す斜視図である。
【図４】本発明の回転型電気部品の摺動子受けを示す斜視図である。
【図５】本発明の回転型電気部品の回転体を示す斜視図である。
【図６】本発明の回転型電気部品の絶縁基板を示す平面図である。
【図７】本発明の回転型電気部品の取付部材を示す斜視図である。
【図８】従来の回転型電気部品を示す分解斜視図である。
【図９】従来の回転型電気部品を示す要部の断面図である。
【符号の説明】
【００４１】
１：ハウジング
１ａ：中空部
１ｂ：軸部
１ｃ：底壁
１ｄ：側壁
１ｅ：収納部
１ｆ：切り欠き部
１ｇ：突起
１ｈ：縦溝
２：摺動子受け
２ａ：丸孔
３：摺動子（回転検出手段）
４：端子
５：回転体
５ａ：中空部
５ｂ：筒状部
５ｃ：鍔部
５ｄ：第１の凸部
５ｅ：第２の凸部
５ｆ：ガイドリブ
５ｇ：係止突起
６：絶縁基板
７：導電パターン（回転検出手段）
８：取付部材
８ａ：上面板（金属表面）
８ｂ：挿通孔
８ｃ：取付片
８ｄ：取付脚
８ｅ：カバー片
９：遮蔽部材
９ａ：貫通孔
９ｂ：ガイド溝
１０：操作用つまみ
１０ａ：操作部
１０ｂ：取付部
１０ｃ：係止孔
１１：パネル
１１ａ：窓孔
【図１】
2006216330.tif 000003
【図２】
2006216330.tif 000004
【図３】
2006216330.tif 000005
【図４】
2006216330.tif 000006
【図５】
2006216330.tif 000007
【図６】
2006216330.tif 000008
【図７】
2006216330.tif 000009
【図８】
2006216330.tif 000010
【図９】
2006216330.tif 000011